(57)【要約】【課題】本発明は、小型で、費用が掛からず、納骨とお位牌を一つにまとめたミニ墓石兼墳墓として、見た目も良く供養できるという仏具を提供することを目的とする。【解決手段】内部に納骨用空間２を有する納骨箱１の上に、複数個の位牌３を収容する位牌箱４を重ね置き、納骨箱１と位牌箱４を分離可能に組み立てる。納骨箱４の嵌め込み口５をあけて納骨用空間２の上方を開放し、位牌箱１の底部に形成した嵌合部６を嵌めこみ口５に嵌め込む。位牌箱１の正面に位牌嵌め込み用の凹部７を形成して位牌３を嵌めこむ。位牌箱４の上面を開放しこれに蓋９を被せる。位牌箱４の内側左右に縦方向の支持溝１１を複数条対向して形成し、この支持溝１１に位牌３の左右両辺を差し込む。【選択図】　　図１
2004024403.tif 000002
【特許請求の範囲】
【請求項１】
内部に納骨用空間を有する納骨箱の上に、複数個の位牌を収容すべき位牌箱を重ね置き、これら納骨箱と位牌箱を分離可能に組み立ててなる仏具。
【請求項２】
納骨箱の上面に嵌め込み口を開けて納骨用空間の上方を開放すると共に、位牌箱の底部に形成した嵌合部を前記嵌め込み口に嵌め込んでなる請求項１記載の仏具。
【請求項３】
位牌箱の正面に位牌嵌め込み用の凹部を形成してなる請求項１記載の仏具。
【請求項４】
位牌箱の上面を開放しこれに蓋を被せてなる請求項１記載の仏具。
【請求項５】
位牌箱の内側左右に縦方向の支持溝を複数条対向して形成しこの支持溝に位牌の左右両辺を差し込むようにしてなる請求項４記載の仏具。
【発明の詳細な説明】
【０００１】
【発明の属する技術分野】
本発明は、納骨箱に位牌箱を重ねて組み立てた仏具で、亡き人を偲ぶための室内用のミニ墓石ともいうべきものである。
【０００２】
【従来の技術】
従来、日本の一般的な埋葬慣行では、墓地に「先祖代々の墓」等の墓石を建て、遺骨は骨壷に入れて墓石の下の埋葬スペース（カラート）に安置する。
この場合、お寺や墓院等から墓地を分譲購入する費用、石材店から墓石を購入する費用や、永代使用料或は墓地管理料などの維持費の支払いも必要である。
最近は、アパート形式の小型墓地を設けて、そこに埋葬するケースもあるが、これもかなりの分譲購入費用を必要とする。
【０００３】
【発明が解決しようとする課題】
本発明は、墓地に墓石を建て、遺骨を保存するという従来型の埋葬方法では、多額の費用とスペースが必要であるという点を改善し、墓地の無い方でも、自宅の室内で遺骨を保管して供養できるように工夫した仏具の発明である。
本発明は、小型で、費用が掛からず、納骨とお位牌を一つにまとめたミニ墓石兼墳墓として、見た目も良く供養できるという仏具を提供することを目的とする。
【０００４】
【課題を解決するための手段】
本発明では、内部に納骨用空間を有する納骨箱の上に、複数個の位牌を収容すべき位牌箱を重ね置き、これら納骨箱と位牌箱を分離可能に組み立ててなる。
請求項２の発明では、納骨箱の上面に嵌め込み口をあけて納骨用空間の上方を開放すると共に、位牌箱の底部に形成した嵌合部を前記嵌めこみ口に嵌めこんでなる。
請求項３の発明では、位牌箱の正面に位牌嵌め込み用の凹部を形成してなる。
請求項４の発明では、位牌箱の上面を開放しこれに蓋を被せてなる。
請求項５の発明では、位牌箱の内側左右に縦方向の支持溝を複数条対向して形成し、この支持溝に位牌の左右両辺を差し込むようにしてなる。
【０００５】
【作用】
本発明の使用に際しては、納骨箱に骨を入れてから、納骨箱上面の嵌め込み口に、位牌箱底部の嵌合部を嵌め込む。位牌箱の正面の凹部に位牌を嵌め込む。位牌箱には、複数の位牌を収納し、上面に蓋をする。
【０００６】
【発明の実施形態】
本発明の実施の形態を、添付図面を参照して説明する。
図１は、本発明実施例の仏具を分解した斜視図である。
１は納骨箱である。納骨箱１は内部に納骨用空間２を有する。３は位牌である。４は位牌箱で、複数個の位牌３を収容する。納骨箱１の上に、位牌箱４を重ね置く。納骨箱１と位牌箱４は、分離可能に組み立てる。５は納骨箱１の上面に開けた嵌め込み口で、納骨用空間２の上方を開放する。６は位牌箱４の底部に形成した嵌合部で、嵌め込み口５に嵌合する。
７は、位牌箱４の正面に形成した位牌３嵌め込み用の凹部である。位牌箱４の上面８は開放し、蓋９を被せる。１０は縦方向の支持溝で、位牌箱４の内側左右に複数条対向して設ける。支持溝１０に位牌３の左右両辺を差し込む。
【０００７】
納骨箱１及び位牌箱４は、アルミ、真鍮、ガラス、木材、石、紙、プラスチックなどいろいろな素材で作ることができる。プラスチックの場合は、金型でいろいろな形に成型できるので簡便である。塗料を工夫すると、見栄えがする。
本発明の仏具は、人間はもちろん、犬や猫などのペット等の供養に使用するのに最適である。納骨箱１の大きさに応じて収納できる骨の量が決まるから、収納する骨の量に応じて納骨箱１の大きさを決める。ペットの場合には、体が小さく骨が少ないので、納骨箱１は小さくて済む。
納骨箱１は、底面を閉じた普通の箱の外、底面を開口して底板１１に接続しても良い。その場合、納骨箱１の内側四隅にビス留め用の筒を設けて、底板１１をビス留めすると良い。
【０００８】
位牌箱４の形状は、四角形のみならず、三角形、円形、楕円形など、いろいろな形状が考えられる。既成概念にとらわれず、動物の位牌等には、夢のある自由な形状に注文成型すると楽しい。
本発明の仏具は、仏壇として家具の中に配置して使用することもできるし、位牌堂として家具の上に置いても違和感無く使用できる。
位牌箱４は、図１の様に前後２枚に形成して組合せるものの他、図２の様に前後を分けず、箱状に形成しても良い。
【０００９】
図２は、位牌箱４を前後面に分けず、四角に形成した実施例２の斜視図で、位牌箱４に位牌３を複数枚入れた図である。位牌３には、戒名や死亡日時など、故人や死んだペットの情報等を記載する。また、卒塔婆の代用として、法事や供養の情報を、この板に記載しても良い。この位牌３は、従来の位牌と異なり、短冊様で足りるから、場所を取らず、位牌箱４に複数枚を併せて収納できる。図２の様に、位牌箱４の内側左右に縦方向の支持溝１０を設ければ、位牌３が動いて擦れ合うことがなく、位牌３に傷を付けない。
位牌３の材質は、漆塗りした木材の他、石、紙、プラスチック、金属など、いろいろ素材を選べる。位牌３は、位牌箱４の正面に形成した凹部７の形状に合わせてカットし、凹部７に嵌め込む。
【００１０】
図４は、実施例３の斜視図である。
実施例３の納骨箱１は長方形で、片側に位牌箱４を重ね、他側には開放した上面を設け、扉１３により上面を開閉自在にしたものである。扉１３を開けて、遺骨を入れた分骨箱１２を、納骨箱１の内部に収容する。図４のように、納骨用空間２には、各人毎に遺骨を収容した数個の分骨箱１２を、並べて収容しても良い。分骨箱１２は、外側をメタル製にして、内側は桐にすると格調が高い。
上記の通り、本発明の仏具は、幾つかの部品からなり、組み立てて使用し、使わないときには個別にしまえるから、在庫のストックに場所を取らない。納骨箱１と位牌箱４を一つにまとめ、ミニ墓石、ミニ墳墓とでも言う役割を兼用させたものであるから、小型で、場所を取らず、引越しの際にも移動が簡単である。
【００１１】
【発明の効果】
このように本発明によれば、納骨箱１の上に、位牌箱４を重ね置き、組み合わせたものであるから、ミニ墓石兼墳墓とでも言う役割をするもので、小型だから、家庭内の家具に配置して仏壇として使用したり、或は木製家具の上に置いて位牌堂として使用しても違和感が無く、見た目も良く供養できるし、引越しの際にも移動が簡単であるという効果を有する。
また、墓地の無い方でも、自宅内の納骨箱１に遺骨を収納し、しかも位牌箱４で位牌３を立てて供養できるので、高額な墓地の費用や墓石の費用が要らず、経済的であるという効果も有する。
【００１２】
請求項２では、納骨箱１の上面に開けた嵌め込み口５に、位牌箱４の底部に形成した嵌合部６を嵌め込むと、しっかり嵌合して位牌箱４が外れない。
請求項３では、位牌箱４の正面に位牌嵌め込み用の凹部７を形成して、位牌３を入れ替えることができ、便利である。４９日忌や一周忌など場合に応じて、位牌の内容を変えて使用できる。
請求項４では、位牌箱４に蓋をすることにより、入れ替えた位牌３が隠れる。請求項５では、位牌箱４の縦方向の支持溝１１に、位牌３を差しこんで収納すれば位牌に傷が付かない。
上記の請求項にある通り、本発明は、各部品を組み立てて作る仏具であるから、組み立て部品を個別にしまうことができ、在庫のストックに場所を取らないという効果も有する。
【図面の簡単な説明】
【図１】本発明実施例の分解斜視図である。
【図２】本発明の実施例２の斜視図である。
【図３】本発明実施例のＡ‐Ａ線断面図である。
【図４】本発明の実施例３の斜視図である。
【符号の説明】
１　納骨箱
２　納骨用空間
３　位牌
４　位牌箱
５　嵌め込み口
６　嵌合部
７　凹部
８　上面
９　蓋
１０　支持溝
１１　底板
１２　分骨箱
１３　扉
【図１】
2004024403.tif 000003
【図２】
2004024403.tif 000004
【図３】
2004024403.tif 000005
【図４】
2004024403.tif 000006